(57)【要約】【課題】  従来のＤＰ袋とプリント袋を一体化してコストの削減を図ると共に、袋の内容物の保持・保管に優れたＤＰ袋を提供する。【解決手段】  上辺を開口部とし他の３辺を閉止した縦長の袋のうら面内側を縦長方向に所定幅の二重構造とすると共に、上記うら面内側辺を横向きの開口部として上下辺と外側辺を閉止した内袋を形成し、上記袋のおもて面の底辺と上記内袋を形成した側の側辺とに沿ってミシン目を設けてＤＰ袋を形成した。具体的には、用紙を折線によって内袋片、基体片、フラップ片に分割し、基体片とフラップ片は同じ長さとし、内袋片はこれらより幅狭とし、内袋片の上下両辺、基体片の下辺、フラップ片の下辺と外側側辺にそれぞれ糊付け部を設け、フラップ片の上記糊付け部に沿ってミシン目を設け、内袋片を基体片に重ねて糊付けして内袋を形成した後にフラップ片を重ねて糊付けしてＤＰ袋を形成した。【選択図】  図１
2006036262.tif 000002
【特許請求の範囲】
【請求項１】
上辺を開口部とし他の３辺を閉止した縦長の袋のうら面内側を縦長方向に所定幅の二重構造とすると共に、上記うら面内側辺を横向きの開口部として上下辺と外側辺を閉止した内袋を形成し、上記袋のおもて面の底辺と上記内袋を形成した側の側辺とに沿ってミシン目を設けたことを特徴とするＤＰ袋。
【請求項２】
用紙を折線によって内袋片、基体片、フラップ片に分割し、基体片とフラップ片は同じ長さとし、内袋片はこれらより幅狭とし、内袋片の上下両辺、基体片の下辺、フラップ片の下辺と外側側辺にそれぞれ糊付け部を設け、フラップ片の上記糊付け部に沿ってミシン目を設け、内袋片を基体片に重ねて糊付けして内袋を形成した後にフラップ片を重ねて糊付けして形成した請求項１記載のＤＰ袋。
【請求項３】
請求項２のＤＰ袋において、内袋片側の折線に沿ってさらに糊付け部を設けたＤＰ袋。
【請求項４】
請求項３のＤＰ袋において、内袋片の下辺の糊付け部を幅広とすると共に、その糊付け部の中央と、基体片下辺の糊付け部と、フラップ片下辺の糊付け部に沿ってミシン目を連続して設けたＤＰ袋。
【請求項５】
請求項４のＤＰ袋において、内袋片側の折線に沿って設けた糊付け部を幅広とし、この糊付け部の中央にミシン目を設けると共に、このミシン目と対称に基体片の内袋片側の折線に沿ってミシン目を設けたＤＰ袋。
【請求項６】
請求項５のＤＰ袋において、上記各ミシン目に代えて切取線を印刷表示したＤＰ袋。
【請求項７】
フラップ片、内袋片、基体片を連続帳票とし、フラップ片と基体片は同じ長さとし、内袋片はこれらより幅狭とし、基体片の四周辺に糊付け部を設け、内袋片にＬ字状の糊付け部を設け、さらに、各片の同じ位置にＬ字状にミシン目を設け、これらを互いに張り合わせて形成した請求項１記載のＤＰ袋。
【発明の詳細な説明】
【技術分野】
【０００１】
この発明は、写真の現像や焼き付けサービスを行ういわゆるＤＰ業者が、ユーザーから預かったフィルム（パトローネ入り）を収納して現像所に転送したり、現像後、焼き付けした写真やネガフィルムを入れてユーザーに返却する場合に使用するＤＰ袋に関するものである。
【背景技術】
【０００２】
従来、ＤＰ業者は、複写式の伝票複数枚が貼付されたいわゆるＤＰ袋と、現像焼き付けされた写真とネガフィルムを収納してユーザーに手渡すための、フラップのついたプリント袋の２種類の袋を使用していた。
【０００３】
即ち、ＤＰ袋は、ユーザーから預かった未現像のフィルム（パトローネ入り）を収納して現像所へ送付したり、外見同一・無記名のフィルム（パトローネ入り）をユーザー別に仕分けて紛失や混同を防ぐために使用し、現像焼き付け処理後は、写真プリント、ホルダー入りのネガフィルム、サービスアルバム、販促チラシ等々の雑多な商品を一緒に入れてユーザーに手渡している。
【０００４】
このとき、ネガフィルムについては従来から、横長の収納部を有する専用のネガホルダーに収納した上で、フラップ付きの開口部の大きく開いたプリント袋と呼ばれる洋封筒状の袋に入れ、さらにそれを上記ＤＰ袋に入れてユーザーに渡している。このプリント袋は焼き増し注文用の記入欄をそのフラップうら面等、袋本体に設けており、ユーザーの焼き増し需要に応えるようになっている。
【０００５】
従って、ＤＰ袋には様々な商品を収納すると共に、ユーザーからの預かり物であるフィルムを入れるため、確実な保持・保管が要求される。
【０００６】
この２種類の袋の使用について、コスト削減のため二つの袋を一体化したＤＰ袋に関する提案が特許文献１に開示されている。
【０００７】
【特許文献１】特開２００２−１０４４３０号公報）
【発明の開示】
【発明が解決しようとする課題】
【０００８】
しかし、上記特許文献１に開示されたＤＰ袋は、現像処理・料金計算用の複写式の伝票を、上記プリント袋タイプの袋に貼付しただけのものである。従来、ＤＰ業者は箱内にこれらＤＰ袋を縦長方向にして収納・保管しているが、上記ＤＰ袋では袋の開口部が横向きになるため、使用態様から考えると、移送中にフィルム（パトローネ入り）が転がり出たり、写真が脱落するなどのおそれがあり、フィルムやその他の内容物の保持・保管の確実性に不安があった。
【０００９】
本発明に係るＤＰ袋は、従来のＤＰ袋とプリント袋を一体化してコストの削減を図ると共に、上述したような不安を解消し、袋の内容物の保持・保管に優れたＤＰ袋を提供するものである。
【課題を解決するための手段】
【００１０】
上記課題を解決するため、本発明は、上辺を開口部とし他の３辺を閉止した縦長の袋のうら面内側を縦長方向に所定幅の二重構造とすると共に、上記うら面内側辺を横向きの開口部として上下辺と外側辺を閉止した内袋を形成し、上記袋のおもて面の底辺と上記内袋を形成した側の側辺とに沿ってミシン目を設けてＤＰ袋を形成するという手段を採用した。
【００１１】
また、請求項２に記載した発明は、具体的に、用紙を折線によって内袋片、基体片、フラップ片に分割し、基体片とフラップ片は同じ長さとし、内袋片はこれらより幅狭とし、内袋片の上下両辺、基体片の下辺、フラップ片の下辺と外側側辺にそれぞれ糊付け部を設け、フラップ片の上記糊付け部に沿ってミシン目を設け、内袋片を基体片に重ねて糊付けして内袋を形成した後にフラップ片を重ねて糊付けしてＤＰ袋を形成するという手段を採用した。
【００１２】
また、請求項３に記載した発明は、請求項２のＤＰ袋において、内袋片側の折線に沿ってさらに糊付け部を設けるという手段を採用した。
【００１３】
また、請求項４に記載した発明は、請求項３のＤＰ袋において、内袋片の下辺の糊付け部を幅広とすると共に、その糊付け部の中央と、基体片下辺の糊付け部と、フラップ片下辺の糊付け部に沿ってミシン目を連続して設けるという手段を採用した。
【００１４】
また、請求項５に記載した発明は、請求項４のＤＰ袋において、内袋片側の折線に沿って設けた糊付け部を幅広とし、この糊付け部の中央にミシン目を設けると共に、このミシン目と対称に基体片の内袋片側の折線に沿ってミシン目を設けるという手段を採用した。
【００１５】
また、請求項６に記載した発明は、請求項５のＤＰ袋において、上記各ミシン目に代えて切取線を印刷表示するという手段を採用した。
【００１６】
さらに、別の形成手段として、請求項７に記載した発明は、フラップ片、内袋片、基体片を連続帳票とし、フラップ片と基体片は同じ長さとし、内袋片はこれらより幅狭とし、基体片の四周辺に糊付け部を設け、内袋片にＬ字状の糊付け部を設け、さらに、各片の同じ位置にＬ字状にミシン目を設け、これらを互いに張り合わせて形成するという手段を採用した。
【発明の効果】
【００１７】
上記構成のＤＰ袋は、使用時の最初に、予め内部に内袋を形成しておき、ユーザー側でミシン目から袋おもて面を切り開いてプリント袋の形状に変形できるようにしたものであるから、ＤＰ袋を一体化でき、従来のように２種類の袋を使い分ける場合に較べて大幅なコストの削減を図ることができる。
【００１８】
また、最初の使用時には上辺開口の縦長の袋であるから、上述した従来品のように、移送中にフィルム（パトローネ入り）が転がり出たり、写真が脱落するなどのおそれがなく、フィルムやその他の内容物の保持・保管に優れている。
【００１９】
また、請求項２に記載にＤＰ袋によれば、極めて簡単な構成でＤＰ袋を構成できる。さらに、請求項３に記載のＤＰ袋によれば、内袋の底部が強化されたものとなる。
【００２０】
また、請求項４に記載のＤＰ袋によれば、袋下辺を切り取ることで、簡単にプリント袋に変更できる。
【００２１】
さらに、請求項５に記載のＤＰ袋によれば、袋の側辺と下辺を切り取ることにより、簡単にプリント袋に変更できる。また、請求項６に示すように、ミシン目に代えて切取線を表示すれば、ミシン目加工が省略でき、コストの軽減となる。
【００２２】
さらに、請求項７に記載のＤＰ袋によれば、ＤＰ袋を連続帳票として形成することができ、製作コストの軽減を図ることができる。
【発明を実施するための最良の形態】
【００２３】
以下、本発明に係るＤＰ袋の好ましい実施形態を図面について説明する。
図１は本案ＤＰ袋の斜視図であって、（Ａ）はおもて面、（Ｂ）はうら面から見た図である。また、（Ｃ）は袋のおもて面の一部を切り離してフラップを形成した態様を示すものである。
【００２４】
図１において、１は上辺を開口部２とし他の３辺を閉止した縦長のＤＰ袋である。このＤＰ袋のうら面内側において縦長方向に所定幅の二重構造とすると共に、上記うら面内側辺を横向きの開口部３として上下辺と外側片を閉止した内袋４が形成されている。また、このＤＰ袋のおもて面において、袋の底辺と上記内袋４を形成した側の側辺とに沿ってミシン目５を設け、袋おもて面を切り開き可能にしている。さらに、ＤＰ袋のうら面には、フィルムの現像処理等に必要な事項を書き込むための複写式伝票６が所定枚数貼付されている。なお、内袋４には、必要に応じて、従来のプリント袋に印刷されていたような、焼き増し記入欄やネガフィルムの取り扱い注意事項などの印刷が施されている。
【００２５】
上記構成のＤＰ袋は、最初、ＤＰ業者により従前のＤＰ袋と同様に機能する。即ち、ユーザーから未現像のフィルム（パトローネ入り）を預かったＤＰ業者は、複写式伝票６に所定事項を記入し、フィルム（パトローネ入り）を入れたＤＰ袋を現像所に転送する。現像所で現像処理されたのち、現像所からは、写真プリントとネガホルダーに収納されたネガフィルムが返送されてくる。ＤＰ業者は、これにサービスアルバムや販促チラシ等を入れてユーザーに渡すことになる。
【００２６】
ユーザーは、このＤＰ袋を持ち帰り後、ミシン目５により袋おもて面を切り開くと、袋おもて面がフラップとなる従前の横長のプリント袋態様の形に変形する（図１（Ｃ）参照）。従って、ユーザーはその後、この袋をプリント袋として利用し、写真の焼き増しを注文する場合等に使用できる。
【００２７】
即ち、本案のＤＰ袋は、従前のＤＰ袋とプリント袋を一体化し、ユーザーが所定個所を切り開くことで、使用態様により縦長のＤＰ袋から横長のプリント袋に変形するものである。そのため、従来のように２種類の袋を使い分ける場合に較べて大幅なコストの削減を図ることができる。
【００２８】
次に、上記構成のＤＰ袋の具体的な作成方法について説明する。図２は最も簡単な構成であり、（Ａ）は展開図、（Ｂ）は組立途中の図である。図２において、１１は横長の用紙であり、縦方向の折線１２、１３によって内袋片１４、基体片１５、フラップ片１６に分割する。基体片１５とフラップ片１６は同じ幅とし、内袋片１４はこれらより幅を狭くする。１７は内袋片１４の上下両辺に設けた糊付け部、１８は基体片１５の下辺に設けた糊付け部、１９はフラップ片１６の下辺と外側側辺に設けたＬ字状の糊付け部である。また、フラップ片１６には、上記糊付け部１９に沿ってミシン目２０、２１を設けている。
【００２９】
上記構成の用紙１１は、先ず折線１２で折り曲げ内袋片１４を基体片１５に重ねて糊付けして内袋を形成し、さらに、フラップ片１６を重ねて糊付けしてＤＰ袋を完成させる。なお、必要に応じて基体片１５側に複写式伝票を貼付する。これにより図１に示したＤＰ袋となり、ミシン目２０、２１でフラップ片１６を切り開けば、図１（Ｃ）のようにプリント袋として利用できる。
【００３０】
次に、図３は他の構成を示し、図２に示す構成に対し、内袋片１４の折線１２に沿って糊付け部２２をさらに設けたものである。これによれば、プリント袋として使用する場合に、内袋の３辺が糊付けされているので、強固な袋となる。
【００３１】
次に、図４は他の構成を示し、図３に示す構成に対し、内袋片１４の下辺の糊付け部１７を幅広とすると共に、その糊付け部１７の中央にミシン目２３を、基体片１５の下辺の糊付け部１８に沿って糊付け部２４を、フラップ片１６の下辺の糊付け部１９に沿ってミシン目２５をそれぞれ連続して設けたものである。これによれば、完成したＤＰ袋の下辺の糊付け部１７、１８、１９をミシン目２３、２４、２５から切り取り、さらに、フラップ片１６をミシン目２０から切り開いてプリント袋とすることができる。
【００３２】
続いて、図５は他の構成を示し、図４に示す構成に対し、内袋片１４の折線１２に沿った糊付け部２２を幅広としたものである。そして、この糊付け部２２の中央にミシン目２６を設け、基体片１５の折線１２側に、上記ミシン目２６と対称にミシン目２７を設けている。これによれば、完成したＤＰ袋の下辺の糊付け部１７、１８、１９をミシン目２３、２４、２５で、ＤＰ袋の側辺の糊付け部２２、１９をミシン目２６、２０で切り取ることにより、フラップ辺１６が自由に開閉するプリント袋とすることができる。
【００３３】
なお、図５（Ｂ）は、上記ミシン目２２、２３、２７、２４、２５、２０に代えて、切り取り部分を示す切取線の表示（一点鎖線）とし、ユーザーが切取線に沿ってハサミ等で切り取りできるようにしたものである。これによっても、上記同様、プリント袋に変形することができ、この場合、ミシン目加工が省略できるから、コストの軽減となる。
【００３４】
次に、図６は、上記ＤＰ袋を用紙を折り畳んで形成するのではなく、連続帳票によって形成する構成を示すものである。即ち、フラップ片３１、内袋片３２、基体片３３をそれぞれ左右にスプロケットホールを有する紙送り片３４を設けた連続帳票とし、フラップ片３１と基体片３３は同じ長さとし、内袋片３２はこれらより幅狭とし、例えば、図５と対応するように基体片３３の四周辺に糊付け部３５を設け、内袋片３２にＬ字状の糊付け部３６を設け、さらに、各片の同じ位置にＬ字状にミシン目３７、３８、３９を設けるのである。これらを互いに張り合わせることで、連続帳票としてＤＰ袋を構成することができ、切り離せば、上記と同様の個々のＤＰ袋として使用できる。そして、さらに上記ミシン目で側辺を切り離せばフラップ辺を有するプリント袋となる。このように連続帳票としてＤＰ袋を形成すれば、製作コストの軽減を図ることができる。
【図面の簡単な説明】
【００３５】
【図１】本発明に係るＤＰ袋の斜視図であって、（Ａ）はおもて面，（Ｂ）はうら面から見た図であり、（Ｃ）は袋のおもて面の一部を切り離してフラップを形成した態様を示すものである。
【図２】（Ａ）は本発明に係るＤＰ袋を用紙で形成する例を示す展開図、（Ｂ）は組立途中の図である。
【図３】他の実施形態を示す展開図である。
【図４】他の実施形態を示す展開図である。
【図５】他の実施形態を示す展開図で、（Ａ）はミシン目を設ける場合、（Ｂ）はミシン目に代えて切取線を表示する場合を示すものである。
【図６】本発明に係るＤＰ袋を連続帳票で形成する例を示す分解斜視図である。
【符号の説明】
【００３６】
１    ＤＰ袋
２    開口部
３    内袋の開口部
４    内袋
５    ミシン目
【図１】
2006036262.tif 000003
【図２】
2006036262.tif 000004
【図３】
2006036262.tif 000005
【図４】
2006036262.tif 000006
【図５】
2006036262.tif 000007
【図６】
2006036262.tif 000008